(57)【要約】【課題】既存の対象物に取付けて使用することが可能であると共に、優れた抗菌効果を備え、簡単に安価で製造できる抗菌具及び抗菌具セット、並びにこの抗菌具の取付方法を提供する。【解決手段】抗菌性金属を含んでなる線材１１を少なくとも一巻き以上巻いて渦巻き状形成してなる抗菌具１である。線材１１を少なくとも一巻き以上巻いてコイル状にしてなる抗菌具４である。線材１１を、少なくとも山折り状と谷折り状に交互に曲げることを１回以上繰り返して略波状に形成してなる抗菌具３である。【選択図】        図１
2005002577.tif 000002
【特許請求の範囲】
【請求項１】
抗菌性金属を含んでなる線材を、少なくとも一巻き以上巻いて渦巻き状に形成してなる抗菌具。
【請求項２】
抗菌性金属を含んでなる線材を、少なくとも一巻き以上巻いてコイル状に形成してなる抗菌具。
【請求項３】
抗菌性金属を含んでなる線材を、少なくとも山折り状と谷折り状に交互に曲げることを１回以上繰り返して略波状に形成してなる抗菌具。
【請求項４】
前記線材を、所定の巻き間隔をもって巻いてなる請求項１または２記載の抗菌具。
【請求項５】
対象物に取付け可能であり、当該対象物の取付領域の形状に相補した形状を備えてなる請求項１ないし請求項４のいずれか一項に記載の抗菌具。
【請求項６】
前記線材の少なくとも一端部を折り曲げて、前記対象物に着脱可能に取付けられる取付部を形成した請求項５記載の抗菌具。
【請求項７】
請求項１ないし請求項６のいずれか一項に記載の抗菌具と、抗菌性金属からなり且つ前記抗菌具を対象物に取付ける取付部材と、
を備えた抗菌具セット。
【請求項８】
請求項１ないし請求項６のいずれか一項に記載の抗菌具を、抗菌性金属からなる取付部材によって、対象物に取付ける抗菌具取付方法。
【請求項９】
請求項６に記載の抗菌具に形成された取付部を対象物に係合させて、前記抗菌具を当該対象物に取付ける抗菌具取付方法。
【発明の詳細な説明】
【０００１】
【発明が属する技術分野】
本発明は、排水口にぬめりや悪臭等が発生することを防止する抗菌作用を備えた抗菌具及び抗菌具セット、並びに抗菌具の取付方法に関する。
【０００２】
【従来の技術】
従来から、台所の流し台、洗面所、浴室等の排水口には、ゴミ等による下水の詰まり防止や下水処理の負担軽減、ぬめり防止等の目的から、ゴミ類と水とを盆理してゴミ類を回収する網目状のゴミ収容具が使用されている。このようなゴミ収容具としては、例えば、台所の流し台の排水口に配設されている排水口用バスケットや、台所の流し台に置かれる三角コーナー、排水用目皿やフィルタ等が挙げられる。
【０００３】
近年では、ぬめりの発生を防止するため、銅や銅合金製の排水口用バスケットや三角コーナー、排水用目皿、フィルタ等が販売されているが、これらは剛性が低く、溜まったゴミ類を取出す際に変形し易い。
【０００４】
そこで、金属基板に銀や銀合金、あるいは銅や銅合金の表面処理を施した材料や、銀や銀合金、あるいは銅や銅合金を含浸させた材料を使用して製作した排水口用バスケットや三角コーナー、排水用目皿、フィルタ等も紹介されている。（例えば、特許文献１〜５参照）。
【０００５】
しかしながら、これらの排水口用バスケットや三角コーナー、排水用目皿、フィルタ等は、前記材料を所望の形状に加工して製作されるため、製造コストがかかる。また、これらを使用する際は、今まで使用していたものと交換する必要があり、不経済である。
【０００６】
また、特定の有機化合物の金属塩よりなる抗菌防黴剤を含有させた繊維状物質を含む排水口用ぬめり防止具を、既存の排水口用バスケットの上辺のセットすることにより、流水により各所にまんべんなく徐々に抗菌防黴機能を発現させ、排水口、排水口用バスケット、排水管に付着するぬめりを防止する方法もある。（例えば、特許文献６参照）。
【０００７】
さらにまた、抗菌防黴剤を含有するぬめり防止シートを、排水口用バスケットの外回りか、排水口壁の何れかに固定するか、排水口用バスケットと排水口壁との間の空間に設置して使用する方法もある。（例えば、特許文献７参照）。
【０００８】
【特許文献１】
特開平９−１３１５０６号公報
【特許文献２】
特開平１０−１８３７１７号公報
【特許文献３】
特開平１１−５０５０５号公報
【特許文献４】
特開平１１−２０８８０３号公報
【特許文献５】
特開平１１−２６９９５８号公報
【特許文献６】
特開２０００−４５３５２号公報
【特許文献７】
特開２０００−６４３８４号公報
【０００９】
【発明が解決しようとする課題】
しかしながら、特定の有機化合物の金属塩よりなる抗菌防黴剤を含有させた繊維状物質を含む排水口用ぬめり防止具は、排水口用バスケットの上辺にセットされるため、水が流れている際は抗菌防黴機能を発現させることができるが、水が流れていない際には、排水口用バスケットの底に溜まっているゴミ類に対し、その効果を十分に発揮させることが困難である。
【００１０】
また、抗菌防黴剤を含有するぬめり防止シートは、湿式不織布から形成されているため、接触したゴミ類が詰まり易く、水はけが悪くなる虞がある。
【００１１】
本発明は、このような従来の問題点を解決することを課題とするものであり、既存の対象物に取付けて使用することが可能であると共に、優れた抗菌効果を備え、簡単に安価で製造できる抗菌具及び抗菌具セット、並びにこの抗菌具の取付方法を提供することを目的とする。
【００１２】
【課題を解決するための手段】
この目的を達成するため、本発明は、抗菌性金属を含んでなる線材を、少なくとも一巻き以上巻いて渦巻き状に形成してなる抗菌具を提供するものである。
【００１３】
また、本発明は、抗菌性金属を含んでなる線材を、少なくとも一巻き以上巻いてコイル状に形成してなる抗菌具を提供するものである。
【００１４】
さらにまた、抗菌性金属を含んでなる線材を、少なくとも山折り状と谷折り状に交互に曲げることを１回以上繰り返して略波状に形成してなる抗菌具を提供するものである。
【００１５】
これらの抗菌具は、渦巻き状、コイル状、あるいは略波状に形成されているため、表面積を大きくとることができ、優れた抗菌効果を発揮することができる。したがって、ぬめりや悪臭の発生を防止することができる。また、抗菌性金属を含んでなる線材を巻く、あるいは湾曲させる、もしくは折り曲げる等の工程によって、渦巻き状、コイル状、あるいは略波状に形成するという簡単な工程で安価に製造できる。そしてまた、既存の対象物（例えば、排水口用バスケット、三角コーナー、排水用目皿、フィルタ等に代表されるゴミ収容具）に取付けることもできるため、現在使用している対象物を破棄する必要がなく、経済的である。
【００１６】
また、本発明にかかる抗菌具は、前記線材を、所定の巻き間隔をもって渦巻き状あるいはコイル状に巻くことにより構成することもできる。すなわち、前記線材は、巻かれることによって隣接配置された部分同士の間に所定の間隔が形成されることになる。このように構成すれば、前記利点に加え、抗菌具の表面積をさらに大きくとることができ、さらに優れた抗菌効果を発揮することができる。また、水はけもより良くなる。
【００１７】
そしてまた、本発明にかかる抗菌具は、対象物に取付け可能であって、当該対象物の取付領域の形状に相補した形状（対象物の形状に合った形状）を備えることができる。なお、本発明でいう「対象物に取付け可能」とは、対象物の上に単に載置することも含んでいる。
【００１８】
さらにまた、本発明にかかる抗菌具は、前記線材の少なくとも一端部を折り曲げて、前記対象物に着脱可能に取付けられる取付部を形成することもできる。この取付部は、前記線材の両端部に形成することがより好ましい。
【００１９】
このように前記線材の少なくとも一端部に取付部を形成することで、この取付部を前記対象物に係合させるだけで、抗菌具を対象物に簡単に取付けることができる。
【００２０】
また、本発明は、前述した本発明にかかる抗菌具と、抗菌性金属からなり且つこの抗菌具を対象物に取付ける取付部材と、を備えた抗菌具セットを提供するものである。
【００２１】
この構成を備えた抗菌具セットによれば、本発明にかかる抗菌具を簡単に対象物に取付けることができる。
【００２２】
そしてまた、本発明は、前述した本発明にかかる抗菌具を、抗菌性金属からなる取付部材によって、対象物に取付ける抗菌具取付方法を提供するものである。
【００２３】
さらにまた、本発明は、前記対象物に着脱可能に取付けられるように、前記線材の少なくとも一端部を折り曲げることにより形成された取付部を対象物に係合させて、前記抗菌具を当該対象物に取付ける抗菌具取付方法を提供するものである。
【００２４】
前記抗菌性金属としては、抗菌性を備えていれば、特に限定されるものではないが、例えば、銅、銀、鉄、ニッケル、亜鉛、白金、金、錫、パラジウム、カドミウム、コバルト、ロジウム、ルテニウム、ビスマス、クロム、から選択される少なくとも１種以上を用いることができる。特に、銀、銅、亜鉛から選択される１種以上の抗菌性金属は、抗菌作用、変色及び人体に対する安全性などの観点から好ましい。
【００２５】
また、抗菌性金属を含んでなる線材は、抗菌性金属自身や、抗菌性金属の合金から構成されてもよく、抗菌性金属または抗菌性金属の合金を、他の金属や樹脂等に含浸または混練した材料から構成されてもよい。さらにまた、抗菌性金属を含んでなる線材は、金属や樹脂等からなる線材本体に、抗菌性金属または抗菌性金属の合金をメッキする、あるいはコーティングする等、所望の表面処理を施すことにより得てもよい。
【００２６】
【発明の実施の形態】
次に、本発明の好適な実施の形態にかかる抗菌具及び抗菌具セット並びに抗菌具の取付方法について説明する。
【００２７】
なお、以下に記載される実施の形態１〜３は、本発明を説明するための例示であり、本発明をこれらの実施形態にのみ限定するものではない。したがって、本発明は、その要旨を逸脱しない限り、様々な形態で実施することができる。
【００２８】
（実施の形態１）
図１は、実施の形態１にかかる抗菌具の平面図、図２は、図１に示すＩＩ−ＩＩ線に沿った断面図、図３は、図１に示す抗菌具の右側面図、図４は、図１に示す抗菌具を既存の排水口用バスケットに取付けた状態を示す斜視図（但し、中の様子が分かるように、記載してある）である。
【００２９】
図１〜図４に示すように、実施の形態１にかかる抗菌具１は、抗菌性金属を含んでなる線材１１を、所定の巻き間隔Ｓ（図１及び図２参照）をもって、１巻き以上（実施の形態１では、１０巻き程度）渦巻き状に巻いて、図４に示す排水口用バスケット１００の底面１０１に載置可能なように、底面１０１の形状に相補した略円盤形状に形成されている。
【００３０】
線材１１は、長手方向に垂直な断面形状が略正方形からなり、その両端部１１Ａ及び１１Ｂは、安全性を考慮して内側に向けて湾曲されている。なお、この線材１１は、実施の形態１では、抗菌性金属である銅から構成した。この線材１１は、薬品や化学物質等を使用していないため、公害の発生がなく安全である。
【００３１】
このように、実施の形態１にかかる抗菌具１は、抗菌性金属を含んでなる線材１１を渦巻き状に巻くという簡単な工程によって、排水口用バスケット１００の底面１０１の形状に合わせた形に製造することができる。また、図４に示すように、排水口用バスケット１００の底面１０１上に載置された状態で使用されるため、取付け、取外しが簡単である。また、水はけが良好であると共に、半永久的に使用することができる。
【００３２】
なお、本実施の形態で使用する対象物としての排水口用バスケット１００は、流し台の排水口に配設される既存のゴミ収容器であり、例えば、ステンレスや樹脂から構成されている。
【００３３】
次に、抗菌具１を取付けた排水口用バスケット１００を、流し台の排水口にセットし、約３０日間、通常通り使用したところ、ぬめり及び悪臭の発生は認められなかった。
【００３４】
なお、実施の形態１では、銅からなる線材１１を使用したが、これに限らず、線材１１は、抗菌性金属を含んでいれば他の材料から構成することもできる。また、この抗菌性金属は、抗菌性を備えていれば、特に限定されるものではないが、銅の他、例えば、銅、銀、鉄、ニッケル、亜鉛、白金、金、錫、パラジウム、カドミウム、コバルト、ロジウム、ルテニウム、ビスマス、クロム等が挙げられる。また、この中でも、特に、銀、銅、亜鉛は、抗菌作用、変色及び人体に対する安全性などの観点から好ましい。
【００３５】
さらに、線材１１は、抗菌性金属の合金や、種類の異なる抗菌性金属の混合材料等から構成してもよい。また、線材１１は、抗菌性金属や、抗菌性金属の合金を、他の金属や樹脂等に含浸または混練した材料から構成してもよい。
【００３６】
さらにまた、本発明にかかる抗菌具は、金属や樹脂等からなる線材本体に、抗菌性金属または抗菌性金属の合金をメッキする、あるいはコーティングする等、所望の表面処理を施すことにより得てもよい。この場合、前記線材本体に、前記所望の表面処理を施して抗菌性金属を含んでなる線材を製造した後、当該線材から抗菌具を製作してもよく、前記線材本体を所望の形状に製作した後、前記所望の表面処理を施して抗菌性を付与してもよい。
【００３７】
また、実施の形態１では、長手方向に垂直な断面形状が略正方形である線材１１を使用した場合について説明したが、これに限らず、線材１１の長手方向に垂直な断面形状は、円形、楕円形、長円形、多角形等、任意に決定することができる。
【００３８】
そしてまた、実施の形態１では、線材１１の両端部１１Ａ及び１１Ｂを内側に向けて湾曲させた場合について説明したが、これに限らず、例えば図５〜図７に示すように、線材１１の両端部１１Ａ及び１１Ｂを略直角に折り曲げてもよい。この折り曲げられた両端部１１Ａ及び１１Ｂは、図８に示すように、排水口用バスケット１００の底面１０１に貫通形成されている複数の孔（網目）１０２に係合させる（引っ掛ける）ことが可能であり、抗菌具１を排水口用バスケット１００の底面１０１に取付けるための取付部として機能する。このため、抗菌具１を排水口用バスケット１００に安定した状態で取付けることができる。また、この場合、抗菌具１は、取付部として機能する両端部１１Ａ及び１１Ｂを、底面１０１に形成されている複数の孔（網目）１０２に係合させる（引っ掛ける）ことによって、底面１０１の裏側（外側）から取付けることもできる。
【００３９】
なお、図５は、他の実施の形態にかかる抗菌具の平面図、図６は、図５に示す抗菌具の正面図、図７は、図５に示す抗菌具の右側面図、図８は、底面１０１に抗菌具１を取付けた状態の排水口用バスケット１００を底面１０１の外側から見た状態を示す斜視図である。
【００４０】
また、線材１１の両端部１１Ａ及び１１Ｂは、図９に示すように、略球状に形成してもよい。
【００４１】
なお、図５〜図８では、線材１１の両端部１１Ａ及び１１Ｂを折り曲げて取付部として機能を付与したが、抗菌具１を排水口用バスケット１００に安定して取付けることが可能であれば、必ずしも両端部１１Ａ及び１１Ｂを折り曲げなくてもよく、線材１１のいずれか一端部のみを折り曲げて取付部として機能を付与してもよい。
【００４２】
さらにまた、実施の形態１では、抗菌具１を排水口用バスケット１００の底面１０１に取付ける場合について説明したが、これに限らず、抗菌具は、例えば、台所の流し台に置かれる三角コーナーや、洗面所、浴室等の排水口に設置される排水用目皿等、ぬめりや悪臭の発生を防止したい様々な場所に取付けることができる。この場合、取付けたい場所の形状に相補した（合わせた）形状となるように、線材１１を所定の巻き間隔をもって渦巻き状に巻くことにより、抗菌具を製作することができる。
【００４３】
具体的には、例えば、三角コーナーに取付けたい場合は、図１０及び図１１に示すように、線材１１を三角コーナーの底面形状に相補した（合わせた）三角形状になるように、所定の巻き間隔をもって渦巻き状に巻いた抗菌具２を製作すればよい。なお、図１０は、抗菌具２の平面図、図１１は、図１０に示す抗菌具２の右側面図である。
【００４４】
また、実施の形態１では、線材１１を所定の巻き間隔をもって渦巻き状に巻いてなる抗菌具１について説明したが、これに限らず、図１２に示すように、線材１１を、山折り状と谷折り状に交互に繰り返し曲げることにより略波状に形成した抗菌具３であってもよい。この場合、線材１１を曲げる角度は、任意に設定することができる。なお、図１２は、抗菌具３の平面図、図１３は、図１２に示す抗菌具３の右側面図である。
【００４５】
そしてまた、抗菌具１（２、３）を、二重、三重等、多重に積み重ねてもよく、また、１本の線材１１によって前記多重となるように連続的に製作してもよい。
【００４６】
（実施の形態２）
次に、実施の形態２にかかる抗菌具及び抗菌具の取付方法について説明する。
【００４７】
図１４は、実施の形態２にかかる抗菌具の側面図、図１５は、図１４に示す抗菌具の底面図、図１６は、図１４に示す抗菌具を既存の排水口用バスケットに取付けた状態を示す斜視図である。
【００４８】
なお、実施の形態２では、実施の形態１と同様の部材には同一の符号を付し、その詳細な説明は省略する。
【００４９】
図１４〜図１６に示すように、実施の形態２にかかる抗菌具４は、抗菌性金属からなる線材１１を、所定の巻き間隔Ｔ（図１４参照）をもって、１巻き以上（実施の形態２では、２５巻き程度）コイル状に巻いた形状を備えている。すなわち、この抗菌具４は、図１６に示すように、排水口用バスケット１００の略円筒状の側壁１０３の外周面を覆うように、側壁１０３の形状に相補した略円筒形となるようコイル状に巻かれている。
【００５０】
線材１１の両端部１１Ａ及び１１Ｂは、内側に向けて略直角に折り曲げられており、この折り曲げられた両端部１１Ａ及び１１Ｂは、図１６に示すように、排水口用バスケット１００の側壁１０３に貫通形成されている複数の孔（網目）１０２に係合させる（引っ掛ける）ことが可能となっている。すなわち、この両端部１１Ａ及び１１Ｂは、抗菌具４を排水口用バスケット１００の側壁１０３に取付けるための取付部として機能するため、抗菌具１を排水口用バスケット１００に簡単かつ安定した状態で取付けることができる。
【００５１】
このように、実施の形態２にかかる抗菌具４は、線材１１をコイル状に巻くという簡単な工程によって、排水口用バスケット１００の側壁１０３の形状に合わせた形に製造される。また、水はけが良好であると共に、半永久的に使用することができる。
【００５２】
次に、抗菌具４を取付けた排水口用バスケット１００を、流し台の排水口にセットし約３０日間、通常通り使用したところ、ぬめり及び悪臭の発生は認められなかった。
【００５３】
なお、実施の形態２では、取付部として機能する両端部１１Ａ及び１１Ｂを備えた抗菌具４について説明したが、これに限らず、線材１１の両端部１１Ａ及び１１Ｂは、図１７及び図１８に示すように、取付部として機能する部分を形成せずに、例えば、内側に向けて湾曲させたり、略球状に加工する等してもよい。この構成の場合、抗菌具４を排水口用バスケット１００の内側に取付ける（中に挿入する）こともできる。
【００５４】
また、図１９に示すように、実施の形態１にかかる抗菌具１と、実施の形態２にかかる抗菌具４の両者を、排水口用バスケット１００に取付けてもよい。
【００５５】
（実施の形態３）
次に、実施の形態３にかかる抗菌具セット及びその取付方法について、図面を参照して説明する。
【００５６】
図２０は、実施の形態３にかかる抗菌具セットの構成要素である取付部材を拡大して示す平面図、図２１は、図２０に示す取付部材を用いて抗菌具を排水口用バスケット１００に取付けた状態を示す正面図、図２２は、図２１に示すＸＸＩＩ−ＸＸＩＩ線に沿った拡大断面図である。
【００５７】
なお、実施の形態３では、実施の形態１及び２で説明した部材と同様の部材には同一の符号を付し、その詳細な説明は省略する。
【００５８】
図２０〜図２２に示すように、実施の形態３にかかる抗菌具セットは、実施の形態２で説明した抗菌具４（但し、線材１１の両端部１１Ａ及び１１Ｂに、取付部としての機能を持たせていない図１７に示すもの）と、この抗菌具４を排水口用バスケット１００の側壁１０３に取付けるための取付部材としての略Ｓ字状フック５０と、を備えて構成されている。
【００５９】
略Ｓ字状フック５０は、抗菌性金属を含んでなる線材１１からなり、一端部５１Ａが、排水口用バスケット１００の側壁１０３に貫通形成されている複数の孔１０２に挿入可能なサイズを備えている。また、略Ｓ字状フック５０の他端部５１Ｂは、抗菌具４を引っ掛けることができるようになっている。
【００６０】
このように、略Ｓ字状フック５０は、抗菌性金属を含んでなる線材１１から構成されているため、ぬめりや悪臭が生じることを防止することができる。また、抗菌具４を排水口用バスケット１００の側壁１０３に簡単に取付けることができる。
【００６１】
なお、実施の形態３では、抗菌具４を排水口用バスケット１００の側壁１０３に取付けるための取付部材として、略Ｓ字状フック５０を用いた場合について説明したが、これに限らず、本発明にかかる取付部材は、抗菌性金属を含んでなる線材から形成され、かつ抗菌具を対象物に取付けることが可能であれば、その形態は特に限定されるものではない。例えば、図２３（１）及び（２）に示すように、ピン６１を支点としてリングの開閉を行うことができるカードリング６０であってもよく、図２４に示すような二重リング７０等であってもよく、また、他の形状であってもよい。さらにまた、抗菌性金属を含んでなる線材によって、抗菌具を対象物に結び付けてもよい。
【００６２】
また、本発明にかかる取付部材を形成する抗菌性金属を含んでなる線材は、抗菌具を形成している線材と同じであってもよく、また異なった種類の抗菌性金属を含んでなる線材であってもよい。
【００６３】
そしてまた、本発明にかかる取付部材を形成する抗菌性金属を含んでなる線材は、抗菌性金属自身や、抗菌性金属の合金から構成されてもよく、抗菌性金属または抗菌性金属の合金を、他の金属や樹脂等に含浸または混練した材料から構成されてもよい。さらにまた、取付部材を形成する抗菌性金属を含んでなる線材は、金属や樹脂等からなる線材本体に、抗菌性金属または抗菌性金属の合金をメッキする、あるいはコーティングする等、所望の表面処理を施すことにより得てもよい。
【００６４】
さらにまた、実施の形態３にかかる取付部材は、実施の形態１で説明した抗菌具１〜３に応用するこが可能であることは勿論である。
【００６５】
そしてまた、抗菌具４を、略同心円状に二重、三重等、多重に配置してもよく、また、１本の線材１１によって前記多重となるように連続的に製作してもよい。
【００６６】
【発明の効果】
以上説明したように、本発明にかかる抗菌具は、抗菌性金属を含んでなる線材を、少なくとも一巻き以上巻く、あるいは湾曲させる、もしくは折り曲げる等により、渦巻き状、コイル状、あるいは略波状に形成するという簡単な工程によって安価に得ることができる。そしてまた、既存の対象物に取付けることができるため、現在使用している対象物を破棄する必要がなく、経済的である。
【００６７】
また、本発明にかかる抗菌具セットによれば、本発明にかかる抗菌具を取付部材によって簡単に対象物に取付けることができる。
【００６８】
そしてまた、本発明にかかる抗菌具取付方法によれば、本発明にかかる抗菌具を簡単に対象物に取付けることができる。
【図面の簡単な説明】
【図１】本発明の実施の形態１にかかる抗菌具の平面図である。
【図２】図１に示すＩＩ−ＩＩ線に沿った断面図である。
【図３】図１に示す抗菌具の右側面図である。
【図４】図１に示す抗菌具を既存の排水口用バスケットに取付けた状態を示す斜視図（但し、中の様子が分かるように、記載してある）である。
【図５】本発明の他の実施の形態にかかる抗菌具の平面図である。
【図６】図５に示す抗菌具の正面図である。
【図７】図５に示す抗菌具の右側面図である。
【図８】底面に抗菌具を取付けた状態の排水口用バスケットを、底面の外側から見た状態を示す斜視図である。
【図９】本発明の他の実施の形態にかかる抗菌具の平面図である。
【図１０】本発明の他の実施の形態にかかる抗菌具の平面図である。
【図１１】図１０に示す抗菌具の右側面図である。
【図１２】本発明の他の実施の形態にかかる抗菌具の平面図である。
【図１３】図１２に示す抗菌具の右側面図である。
【図１４】本発明の実施の形態２にかかる抗菌具の側面図である。
【図１５】図１４に示す抗菌具の底面図である。
【図１６】図１４に示す抗菌具を既存の排水口用バスケットに取付けた状態を示す斜視図である。
【図１７】本発明の他の実施の形態にかかる抗菌具の側面図である。
【図１８】図１７に示す抗菌具の底面図である。
【図１９】本発明の他の実施の形態にかかる抗菌具を既存の排水口用バスケットに取付けた状態を示す斜視図である。
【図２０】本発明の実施の形態３にかかる抗菌具セットの構成要素である取付部材を拡大して示す平面図である。
【図２１】図２０に示す取付部材を用いて抗菌具を排水口用バスケット１００に取付けた状態を示す正面図である。
【図２２】図２１に示すＸＸＩＩ−ＸＸＩＩ線に沿った拡大断面図である。
【図２３】本発明の他の実施の形態にかかる抗菌具セットの構成要素である取付部材を拡大して示す平面図である。
【図２４】本発明の他の実施の形態にかかる抗菌具セットの構成要素である取付部材を拡大して示す側面図である。
【符号の説明】
１、２、３、４    抗菌具
１１    線材
５０    略Ｓ字状フック
１００    排水口用バスケット
１０１    底面
１０２    孔
１０３    側壁
【図１】
2005002577.tif 000003
【図２】
2005002577.tif 000004
【図３】
2005002577.tif 000005
【図４】
2005002577.tif 000006
【図５】
2005002577.tif 000007
【図６】
2005002577.tif 000008
【図７】
2005002577.tif 000009
【図８】
2005002577.tif 000010
【図９】
2005002577.tif 000011
【図１０】
2005002577.tif 000012
【図１１】
2005002577.tif 000013
【図１２】
2005002577.tif 000014
【図１３】
2005002577.tif 000015
【図１４】
2005002577.tif 000016
【図１５】
2005002577.tif 000017
【図１６】
2005002577.tif 000018
【図１７】
2005002577.tif 000019
【図１８】
2005002577.tif 000020
【図１９】
2005002577.tif 000021
【図２０】
2005002577.tif 000022
【図２１】
2005002577.tif 000023
【図２２】
2005002577.tif 000024
【図２３】
2005002577.tif 000025
【図２４】
2005002577.tif 000026